(57)【要約】【課題】  入出力インピーダンスの調整が容易な信号分配器を提供する。【解決手段】  アンテナ１００からの受信信号が入力される入力用コイル１２と、インピーダンス変換用のフィルタ１６とを有する入力部Ａと、入力部Ａからの信号を複数の信号に分配する分配用コイル１３を有する出力部Ｂと、入力用コイル１２と分配用コイル１３との間に直列に接続され、入力インピーダンスと出力インピーダンスとの干渉を低減するコンデンサ１５とを備えるようにした。【選択図】      図１
2006254202.tif 000002
【特許請求の範囲】
【請求項１】
アンテナからの受信信号が入力される入力用コイルと、インピーダンス変換用のフィルタとを有する入力部と、
入力部からの信号を複数の信号に分配する分配用コイルを有する出力部と、
入力用コイルと分配用コイルとの間に直列に接続され、入力インピーダンスと出力インピーダンスとの干渉を低減するコンデンサと
を備えることを特徴とする信号分配器。
【請求項２】
前記アンテナと前記入力用コイルとの間に、入力インピーダンス調整用のコイルを配置したことを特徴とする請求項１に記載の特徴とする信号分配器。
【発明の詳細な説明】
【技術分野】
【０００１】
本発明は、アンテナの受信信号を分配する信号分配器に関する。
【背景技術】
【０００２】
従来より、アンテナの受信信号を複数の信号に分配する分配器が知られている（例えば、特許文献１）。この種の分配器１は、図３に示すように、入力端子２を介してアンテナ３と接続される入力用コイル４と、この入力用コイル４に配線接続され、複数の出力端子５Ａ、５Ｂに接続される分配用コイル６とを有し、受信機と異なるインピーダンスのアンテナ３を使用した場合、この分配用コイル６の入力側にフィルタ７を設けることによって入力インピーダンスを所望の値に変換していた。
【特許文献１】特開平１１−３３１０００８号公報
【発明の開示】
【発明が解決しようとする課題】
【０００３】
しかし、従来の構成では、入力インピーダンスを調整すると、出力側のインピーダンスも変化してしまい、入出力インピーダンスの整合が困難になる問題があった。
【０００４】
本発明は、上述した事情に鑑みてなされたものであり、入出力インピーダンスの調整が容易な信号分配器を提供することにある。
【課題を解決するための手段】
【０００５】
上述課題を解決するため、本発明は、信号分配器において、アンテナからの受信信号が入力される入力用コイルと、インピーダンス変換用のフィルタとを有する入力部と、入力部からの信号を複数の信号に分配する分配用コイルを有する出力部と、入力用コイルと分配用コイルとの間に直列に接続され、入力インピーダンスと出力インピーダンスとの干渉を低減するコンデンサとを備えることを特徴とする。
この構成によれば、入力用コイルと分配用コイルとの間に直列に接続され、入力インピーダンスと出力インピーダンスとの干渉を低減するコンデンサを備えるので、入力インピーダンスを変換するフィルタを挿入しても、挿入損失やアイソレーション特性の変化を抑制することができ、入出力インピーダンスの整合を容易に図ることができる。
上記構成において、前記アンテナと前記入力用コイルとの間に、入力インピーダンス調整用のコイルを配置してもよい。
【発明の効果】
【０００６】
本発明は、アンテナからの受信信号が入力される入力用コイルと、インピーダンス変換用のフィルタとを有する入力部と、入力部からの信号を複数の信号に分配する分配用コイルを有する出力部と、入力用コイルと分配用コイルとの間に直列に接続され、入力インピーダンスと出力インピーダンスとの干渉を低減するコンデンサとを備えるので、入力インピーダンスと出力インピーダンスとの干渉が低減され、入出力インピーダンスの整合を容易に図ることができる。
【発明を実施するための最良の形態】
【０００７】
以下、図面を参照して本発明の実施形態を詳述する。
図１は、本発明の実施形態に係る信号分配器１０を示す図である。この実施形態では、車両用アンテナ１００の受信信号を２分配する信号分配器に実施した場合を例に説明する。
信号分配器１０は、車両用アンテナ１００が接続される入力端子１１を備え、この入力端子１１は、入力用コイル１２の一端に接続される。この入力用コイル１２は、フェライトコアに巻線を施して形成され、入力用コイル１２の他端は、接地される。また、１３は、フェライトコアに巻線を施して形成される分配用コイルであり、このコイル１３の両端は各々出力端子１４Ａ、１４Ｂに接続される。
【０００８】
上記入力用コイル１２と分配用コイル１３とは、その巻線が、コンデンサ１５を介して直列に接続される。このコンデンサ１５は、分配対象の信号（車両用アンテナ１００の受信信号）を通過させ、かつ、分配用コイル１３に対して入力側の部分（入力部Ａ）のインピーダンス（入力インピーダンス）と、分配用コイル１３を含む出力側（出力部Ｂ）のインピーダンス（出力インピーダンス）との干渉を低減するようにフィルタ特性が設定されている。
【０００９】
また、このコンデンサ１５と分配用コイル１３との間には、高周波特性調整用コンデンサ１６の一端が接続され、このコンデンサ１６の他端は接地される。この高周波特性調整用コンデンサ１６は、入力インピーダンスを、この信号分配器１０の出力端子１４Ａ、１４Ｂに接続される受信機（図示せず）のインピーダンスと同じ値のインピーダンスに変換するようにフィルタ特性が設定され、これによって、入力インピーダンスを変換するフィルタとして機能している。
【００１０】
上記構成において、入力端子１１に入力された受信信号は、入力用コイル１２及びコンデンサ１５を介して分配用コイル１３に入力され、ここで２分配され、各々出力端子１４Ａ、１４Ｂから出力される。
【００１１】
本構成では、入力用コイル１２と分配用コイル１３との間にコンデンサ１５を直列に接続したので、入力インピーダンスと出力インピーダンスとの干渉が低減され、入力インピーダンスを変換するフィルタ（高周波特性調整用コンデンサ１６）を挿入しても、挿入損失やアイソレーション特性の変化を抑制することができる。従って、入力インピーダンスと出力インピーダンスの調整が容易であり、入出力インピーダンスの整合を容易に図ることが可能となる。
【００１２】
上述した実施形態は、あくまで本発明の一態様に過ぎず、本発明の範囲内で任意に変形が可能である。例えば、上述の実施形態において、入力インピーダンスを調整する場合には、図２に示すように、入力端子１１と入力用コイル１２との間、或いは、入力用コイル１２とコンデンサ１５との間に、コイル（インピーダンス調整用コイル）２１を設けることによって、入力インピーダンスを調整することが可能である。また、出力インピーダンスを調整する場合には、図２に示すように、分配用コイル１３と各出力端子１４Ａ、１４Ｂとの間に、コイル（インピーダンス調整用コイル）２２を設けることによって、出力インピーダンスを調整することが可能である。
また、上述した実施形態では、受信信号を２分配する信号分配器に本発明を適用する場合について例示したが、更に多数分配する信号分配器にも本発明を適用することが可能である。
【図面の簡単な説明】
【００１３】
【図１】本発明の実施形態に係る信号分配器を示す図である。
【図２】変形例に係る信号分配器を示す図である。
【図３】従来の信号分配器を示す図である。
【符号の説明】
【００１４】
１、１０  信号分配器
２、１１  入力端子
３、１００  アンテナ
４、１２  入力用コイル
５Ａ、５Ｂ、１４Ａ、１４Ｂ  出力端子
６、１３  分配用コイル
７  フィルタ
１５  コンデンサ
１６  高周波特性調整用コンデンサ（フィルタ）
２１、２２  コイル（インピーダンス調整用コイル）
【図１】
2006254202.tif 000003
【図２】
2006254202.tif 000004
【図３】
2006254202.tif 000005